【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
バックライト方式の表示手段を具備する携帯電話機等の通信端末装置において、電話帳データをバックライト色に対応付けして記憶する記憶手段と、着信時に受信するデータから相手番号を検出する検出手段と、前記検出手段で検出した相手番号と前記記憶手段に記憶された電話帳データの電話番号とを比較する比較手段と、前記比較手段で比較した相手番号が電話帳データの電話番号と一致した場合に、一致した電話番号の電話帳データに対応付けられたバックライト色で発光させて相手の電話番号を前記表示手段に表示させる制御手段と、を備えたことを特徴とする通信端末装置。
【請求項２】
バックライト方式の表示手段を具備する携帯電話機等の通信端末装置において、電話帳データをバックライト色に対応付けして記憶する記憶手段と、前記記憶手段に記憶された電話帳データを検索する検索手段と、検索した電話帳データに対応付けられたバックライト色で発光させて電話帳データを前記表示手段に表示させる制御手段と、を備えたことを特徴とする通信端末装置。
【請求項３】
前記記憶手段は、時間帯に応じて電話帳データのバックライト色の対応付けを変更する変更手段を備えたことを特徴とする請求項１または２に記載の通信端末装置。
【請求項４】
バックライト方式の表示手段を具備する携帯電話機等の通信端末装置において、着信時に受信モードを検出する受信モード検出手段と、受信モードに対応したバックライト色を記憶する受信モード記憶手段と、前記受信モード検出手段が検出した受信モードに対応するバックライト色を前記受信モード記憶手段から検索して、受信モードに対応付けられたバックライト色で発光させる制御手段と、を備えたことを特徴とする通信端末装置。
【請求項５】
前記記憶手段は、予めバックライト色を設定登録しておいたバックライト色指定用の識別記号を電話帳の氏名もしくは電話番号または両者に付して登録することにより電話帳データをバックライト色に対応付けし、前記制御手段は、前記識別記号が付されている場合にはバックライト色を通常と異なる色に決定するようにしたことを特徴とする請求項１、２または３に記載の通信端末装置。
【請求項６】
前記記憶手段は、予めバックライト色を設定登録しておいたバックライト色指定用の識別記号を電話帳の氏名もしくは電話番号または両者に付して登録することにより電話帳データをバックライト色に対応付けし、前記制御手段は、前記識別記号の種別によりバックライト色を決定するようにしたことを特徴とする請求項１、２または３に記載の通信端末装置。
【請求項７】
前記記憶手段は、バックライト色に対応付けして記憶した電話帳データのバックライト色との対応付けを変更および削除できるようにしたことを特徴とする請求項１乃至６のいずれかに記載の通信端末装置。
【請求項８】
バックライト方式の表示手段を具備する携帯電話機等の通信端末装置において、バックライト色指定用の識別記号を記憶する識別記号記憶手段と、文字メッセージ信号を受信する受信手段と、受信した文字メッセージ信号から前記バックライト色指定用の識別記号を検出する識別記号検出手段と、前記識別記号検出手段が検出した前記バックライト色指定用の識別記号に基づいてバックライト色を切り替えて発光させる制御手段と、を備えたことを特徴とする通信端末装置。
【請求項９】
バックライト方式の表示手段を具備する携帯電話機等の通信端末装置において、複数の色で発光するバックライト手段と、発光させるバックライト色を予め設定登録または変更登録する登録手段とを備え、前記バックライト手段は、登録したバックライト色に基づいてバックライトを発光することを特徴とする通信端末装置。
【請求項１０】
前記記憶手段は、バックライト色との対応付けが異なる複数の電話帳データ記憶部を有し、前記制御手段がバックライト色を決定する対象の電話帳データとして前記複数の電話帳データ記憶部のいずれかを指定する手段を備えたことを特徴とする請求項１乃至７のいずれかに記載の通信端末装置。
【請求項１１】
前記複数の電話帳データ記憶部のいずれかを指定する手段は、時計手段を備え、時間帯を指定して前記複数の電話帳データ記憶部のいずれかを選択することを特徴とする請求項１０記載の通信端末装置。
【手続補正２】
【補正対象書類名】明細書
【補正対象項目名】００１８
【補正方法】変更
【補正の内容】
【００１８】
【発明の実施の形態】
本発明の請求項１に記載の発明は、バックライト方式の表示手段を具備する携帯電話機等の通信端末装置において、電話帳データをバックライト色に対応付けして記憶する記憶手段と、着信時に受信するデータから相手番号を検出する検出手段と、検出手段で検出した相手番号と記憶手段に記憶された電話帳データの電話番号とを比較する比較手段と、比較手段で比較した相手番号が電話帳データの電話番号と一致した場合に、一致した電話番号の電話帳データに対応付けられたバックライト色で発光させて相手の電話番号を表示手段に表示させる制御手段と、を備えたものであり、バックライトが、マーク等の識別記号で区別して登録されたデータに対応付けられた色で発光するため、マークを付して電話帳データを登録した相手先から着信があったことを、表示手段の表示文字だけでなく、バックライトの色によっても確認することができる。
【手続補正３】
【補正対象書類名】明細書
【補正対象項目名】００１９
【補正方法】変更
【補正の内容】
【００１９】
請求項２に記載の発明は、バックライト方式の表示手段を具備する携帯電話機等の通信端末装置において、電話帳データをバックライト色に対応付けして記憶する記憶手段と、記憶手段に記憶された電話帳データを検索する検索手段と、検索した電話帳データに対応付けられたバックライト色で発光させて電話帳データを表示手段に表示させる制御手段と、を備えたものであり、マーク等の識別記号を付して登録した電話帳データが表示手段に表示されていることを、バックライトの色によって確認することができる。
【手続補正４】
【補正対象書類名】明細書
【補正対象項目名】００２０
【補正方法】変更
【補正の内容】
【００２０】
請求項３に記載の発明は、請求項１または２に記載の通信端末装置において、記憶手段が、時間帯に応じて電話帳データのバックライト色の対応付けを変更する変更手段を備えたものであり、勤務時間には、仕事関係の相手先からの電話をバックライトの色で確認し、勤務時間外には、プライベートの友人からの電話をバックライトの色で確認する、などの使い分けが可能となる。
【手続補正５】
【補正対象書類名】明細書
【補正対象項目名】００２１
【補正方法】変更
【補正の内容】
【００２１】
請求項４に記載の発明は、バックライト方式の表示手段を具備する携帯電話機等の通信端末装置において、着信時に受信モードを検出する受信モード検出手段と、受信モードに対応したバックライト色を記憶する受信モード記憶手段と、受信モード検出手段が検出した受信モードに対応するバックライト色を受信モード記憶手段から検索して、受信モードに対応付けられたバックライト色で発光させる制御手段と、を備えたものであり、同報通信の受信や、ＰＨＳ回線からの受信などをバックライトの色で確認することができる。
【手続補正６】
【補正対象書類名】明細書
【補正対象項目名】００２２
【補正方法】変更
【補正の内容】
【００２２】
請求項５に記載の発明は、請求項１、２または３に記載の通信端末装置において、記憶手段が、予めバックライト色を設定登録しておいたバックライト色指定用の識別記号を電話帳の氏名もしくは電話番号または両者に付して登録することにより電話帳データをバックライト色に対応付けし、制御手段が、識別記号が付されている場合にはバックライト色を通常と異なる色に決定するようにしたものであり、識別記号が付されている電話番号や電話帳データを表示する場合はバックライトの色が変更される。
【手続補正７】
【補正対象書類名】明細書
【補正対象項目名】００２３
【補正方法】変更
【補正の内容】
【００２３】
請求項６に記載の発明は、請求項１、２または３に記載の通信端末装置において、記憶手段が、予めバックライト色を設定登録しておいたバックライト色指定用の識別記号を電話帳の氏名もしくは電話番号または両者に付して登録することにより電話帳データをバックライト色に対応付けし、制御手段が、識別記号の種別によりバックライト色を決定するようにしたものであり、識別記号の種別によってバックライトの色が変更される。
【手続補正８】
【補正対象書類名】明細書
【補正対象項目名】００２４
【補正方法】変更
【補正の内容】
【００２４】
請求項７に記載の発明は、請求項１乃至６のいずれかに記載の通信端末装置において、記憶手段が、バックライト色に対応付けして記憶した電話帳データのバックライト色との対応付けを変更および削除できるようにしたものであり、識別記号を付して登録したデータとバックライトの色との関係を、纏めて変更することができる。
【手続補正９】
【補正対象書類名】明細書
【補正対象項目名】００２５
【補正方法】変更
【補正の内容】
【００２５】
請求項８に記載の発明は、バックライト方式の表示手段を具備する携帯電話機等の通信端末装置において、バックライト色指定用の識別記号を記憶する識別記号記憶手段と、文字メッセージ信号を受信する受信手段と、受信した文字メッセージ信号から前記バックライト色指定用の識別記号を検出する識別記号検出手段と、前記識別記号検出手段が検出した前記バックライト色指定用の識別記号に基づいてバックライト色を切り替えて発光させる制御手段と、を備えたものであり、受信した文字メッセージに識別記号が含まれているとき、表示画面のバックライトの色が切り替わる。
【手続補正１０】
【補正対象書類名】明細書
【補正対象項目名】００２６
【補正方法】変更
【補正の内容】
【００２６】
請求項９に記載の発明は、バックライト方式の表示手段を具備する携帯電話機等の通信端末装置において、複数の色で発光するバックライト手段と、発光させるバックライト色を予め設定登録または変更登録する登録手段とを備え、前記バックライト手段は、登録したバックライト色に基づいてバックライトを発光するようにしたものであり、その日の気分に応じて、あるいは、周囲の明るさに応じてバックライトの色を切り替えることができる。
【手続補正１１】
【補正対象書類名】明細書
【補正対象項目名】００２７
【補正方法】変更
【補正の内容】
【００２７】
請求項１０に記載の発明は、請求項１乃至７のいずれかに記載の通信端末装置において、記憶手段が、バックライト色との対応付けが異なる複数の電話帳データ記憶部を有し、制御手段がバックライト色を決定する対象の電話帳データとして複数の電話帳データ記憶部のいずれかを指定する手段を備えたものであり、バックライトの色を変える対象の電話帳データを切り替えることができる。
【手続補正１２】
【補正対象書類名】明細書
【補正対象項目名】００２８
【補正方法】変更
【補正の内容】
【００２８】
請求項１１に記載の発明は、請求項１０に記載の通信端末装置において、複数の電話帳データ記憶部のいずれかを指定する手段が、時計手段を備え、時間帯を指定して複数の電話帳データ記憶部のいずれかを選択するようにしたものであり、バックライトの色を変える対象の電話帳データを、時間帯によって切り替えることができる。